(57)【要約】【課題】隣接する他の壁面パネルとの間の隙間を小さくすることが可能な壁面パネルを提供する。【解決手段】壁面パネル１は、板状の建材パネル２と、建材パネル２の一方の面側に固定される板状の部材であって、一方の面に少なくとも一部が接触し、建材パネル２と平行に延び、建材パネル２と連結する第１連結部３１、第１連結部３１のうち、建材パネル２の周端部よりも内側の位置から、建材パネル２と反対側に向けて延びる延伸部３２、及び、延伸部３２のうち、第１連結部３１側と反対側の端部から外側に向けて、建材パネル２と平行に延びる第２連結部３３を有する固定部材３とを備える。第２連結部３３は、建材パネルとの間の間隔が第１長さである第２連結部３２Ａ、３２Ｂ、及び、建材パネル２との間の間隔が第１長さよりも大きい第２長さである第２連結部３２Ｃ、３２Ｄを有する。【選択図】図１
2018178553.tif 000002
【特許請求の範囲】
【請求項１】
板状の建材パネルと、
前記建材パネルの一方の面側に固定される板状の部材であって、
前記一方の面に少なくとも一部が接触し、前記建材パネルと平行に延び、前記建材パネルと連結する第１連結部、
前記第１連結部のうち、前記建材パネルの周端部よりも内側の位置から、前記建材パネルと反対側に向けて延びる延伸部、及び、
前記延伸部のうち、前記第１連結部側と反対側の端部から外側に向けて、前記建材パネルと平行に延びる第２連結部
を有する固定部材と、
を備え、
前記第２連結部は、
前記建材パネルと平行な仮想平面であって、前記建材パネルとの間の間隔が第１長さである第１仮想平面に沿って延びる第１部分、及び、
前記建材パネルと平行な仮想平面であって、前記建材パネルとの間の間隔が前記第１長さよりも大きい第２長さである第２仮想平面に沿って延びる第２部分を有することを特徴とする壁面パネル。
【請求項２】
前記第１連結部は矩形状を有し、
前記第１部分は、前記第１連結部の４辺のうち特定の２辺であって互いに隣接する第１辺及び第２辺のそれぞれに接続する前記延伸部から延び、
前記第２部分は、前記第１連結部の４辺のうち前記第１辺及び前記第２辺を除く第３辺及び第４辺のそれぞれに接続する前記延伸部から延びることを特徴とする請求項１に記載の壁面パネル。
【請求項３】
前記第２長さは、前記第１長さに対して、前記第２連結部の板厚分大きいことを特徴とする請求項１又は２に記載の壁面パネル。
【請求項４】
前記第１連結部は、前記建材パネルから離隔する向きに凸状に突出する突出部を有し、
前記突出部は、リベットが連通する孔を有し、
前記リベットは、前記第１連結部と前記建材パネルを連結することを特徴とする請求項１から３の何れかに記載の壁面パネル。
【発明の詳細な説明】
【技術分野】
【０００１】
本発明は、建築物や各種構造物の壁面を構成する壁面パネルに関する。
【背景技術】
【０００２】
建物の壁面や天井等に並べて配置される壁面パネルを、建物の躯体や下地材等に固定するための様々な技術が提案されている。特許文献１は、天井下地に天井材を並べて取り付けるための天井目地材を開示する。天井目地材は、上横片、縦片、及び、下横片を有する。上横片、縦片、及び、下横片によって、横方向に開口する差し込み部が２つ形成される。２つの差し込み部の中央に、下方向に開口する底目地が形成される。
【０００３】
上記天井目地材を用いて施工が行われる手順は、次の通りである。天井目地材は、天井材の辺の長さの２倍分の間隔を空けて配置される。次に、各天井目地材の底目地は、天井スラブに取り付けられた野縁材にビスによって取付けられる。次に、２枚の天井材（「第１天井材」及び「第２側天井材」という。）が、隣接する２つの天井目地材（「第１天井目地材」及び「第２天井目地材」という。）の間に並べて配置される。第１天井材の一端部は、第１天井目地材の他方側の差し込み部に差し込まれる。第２天井材の他端部は、第２天井目地材の一方側の差し込み部に差し込まれる。この状態で、第１天井材の他端部、及び、第２天井材の一端部の間に、第３天井目地材が配置される。第３天井目地材の一方側の差し込み部に、第１天井材の他端部が差し込まれ、第３天井目地材の他方側の差し込み部に、第２天井材の一端部が差し込まれる。この状態で、第３天井目地材の底目地は、第１天井目地材と第２天井目地材との間の中央部分にビスによって取り付けられる。これによって、第１天井材及び第２天井材は、第１〜第３天井目地材によって天井下地に取り付けられる。
【先行技術文献】
【特許文献】
【０００４】
【特許文献１】特開平１０−２６６４５２号公報
【発明の概要】
【発明が解決しようとする課題】
【０００５】
上記天井目地材を用いて天井材が取り付けられた場合、隣接する２つの天井材の間に大きな隙間が形成される。このため、天井材の間の隙間を極力小さくしたいというユーザの要求を充足できないという問題点がある。
【０００６】
本発明の目的は、隣接する他の壁面パネルとの間の隙間を小さくすることが可能な壁面パネルを提供することである。
【課題を解決するための手段】
【０００７】
本発明に係る壁面パネルは、板状の建材パネルと、前記建材パネルの一方の面側に固定される板状の部材であって、前記一方の面に少なくとも一部が接触し、前記建材パネルと平行に延び、前記建材パネルと連結する第１連結部、前記第１連結部のうち、前記建材パネルの周端部よりも内側の位置から、前記建材パネルと反対側に向けて延びる延伸部、及び、前記延伸部のうち、前記第１連結部側と反対側の端部から外側に向けて、前記建材パネルと平行に延びる第２連結部を有する固定部材と、を備え、前記第２連結部は、前記建材パネルと平行な仮想平面であって、前記建材パネルとの間の間隔が第１長さである第１仮想平面に沿って延びる第１部分、及び、前記建材パネルと平行な仮想平面であって、前記建材パネルとの間の間隔が前記第１長さよりも大きい第２長さである第２仮想平面に沿って延びる第２部分を有することを特徴とする。
【０００８】
本発明の壁面パネルは、固定部材を介して、建物の下地材に建材パネルを並べて固定する。固定部材は第２連結部を有する。第２連結部は、建材パネルとの間の間隔がそれぞれ異なる第１部分及び第２部分を有する。第２部分が配置される第２仮想平面は、第１部分が配置される第１仮想平面よりも、建材パネルとの間の間隔が大きい。このため、第１壁面パネルの第２連結部と、第２壁面パネルの第１連結部とを重ねた状態で下地材に固定できるので、それぞれの建材パネルを近接して配置させることができる。更に、延伸部に対して外側に建材パネルが突出する。このため、壁面パネルは、それぞれの建材パネルの間の隙間を極力小さくできる。
【０００９】
本発明において、前記第１連結部は矩形状を有し、前記第１部分は、前記第１連結部の４辺のうち特定の２辺であって互いに隣接する第１辺及び第２辺のそれぞれに接続する前記延伸部から延び、前記第２部分は、前記第１連結部の４辺のうち前記第１辺及び前記第２辺を除く第３辺及び第４辺のそれぞれに接続する前記延伸部から延びてもよい。この場合、施工者は、複数の壁面パネルを格子状に並べて配置することができる。
【００１０】
本発明において、前記第２長さは、前記第１長さに対して、前記連結部の板厚分大きくてもよい。この場合、第１壁面パネルの第２連結部の第１部分と、第２壁面パネルの第２連結部の第２部分とを重ねた状態で下地材に固定された場合、第１壁面パネルと第２壁面パネルとのそれぞれの建材パネルの位置（高さ）を一致させることができる。
【００１１】
本発明において、前記第１連結部は、前記建材パネルから離隔する向きに凸状に突出する突出部を有し、前記突出部は、リベットが連通する孔を有し、前記リベットは、前記第１連結部と前記建材パネルを連結してもよい。この場合、離隔する２つの部材を連結するためのリベットを用いて第１連結部と建材パネルとを連結できる。
【図面の簡単な説明】
【００１２】
【図１】壁面パネル１を上側から見た斜視図である。
【図２】壁面パネル１を下側から見た斜視図である。
【図３】壁面パネル１の平面図である。
【図４】壁面パネル１の側面図である。
【図５】図１のＡ−Ａ線を矢印方向から見た断面図である。
【図６】壁面パネル１Ａ、１Ｂが躯体に取り付けられた状態を示す図である。
【発明を実施するための形態】
【００１３】
本発明の一実施形態について、図１〜図６を参照して説明する。壁面パネル１は、建物の軒天に並べて取り付けられる。壁面パネル１が取り付けられることによって、意匠性が向上すると同時に、防水性、防火性を高めることができる。以下、説明の理解を容易とするため、壁面パネル１の方向を定義する。図１の左斜め下側、右斜め上側、左斜め上側、右斜め下側、上側、及び、下側は、それぞれ、壁面パネル１の前側、後側、左側、右側、上側、及び、下側に対応する。壁面パネル１は、建材パネル２及び固定部材３を備える。
【００１４】
＜建材パネル２＞
図２に示すように、建材パネル２は、略正方形の板状である。建材パネル２と直交する方向は、上下方向を向く。図１に示すように、建材パネル２は、面材２Ａ、２Ｂ、及び、芯材２Ｃを有する。面材２Ａは、芯材２Ｃの上側に積層される。面材２Ｂは、芯材２Ｃの下側に積層される。芯材２Ｃは、面材２Ａ、２Ｂによって上下方向の両側から挟まれる。面材２Ａ、２Ｂの材料として、例えば、アルミニウム、ステンレス、チタン、ガルバリウム鋼板（登録商標）、スチール等が用いられる。面材２Ａ、２Ｂのうち芯材２Ｃと接触する側と反対側の面には、それぞれ、各種塗装（高耐候性塗装、抗菌、防カビ塗装、帯電防止塗装）や表面加工（プライマー処理、鏡面仕上げ）が行われてもよい。芯材２Ｃの材料として、ポリエチレン、発泡ポリエチレン、耐火性芯材等が用いられる。建材パネル２の厚さは、約４ｍｍである。
【００１５】
＜固定部材３＞
図１に示すように、固定部材３は、第１連結部３１、延伸部３２Ａ〜３２Ｄ（「延伸部３２」という。）、及び、第２連結部３３Ａ〜３３Ｄ（「第２連結部３３」という。）を有する。第１連結部３１は、略正方形の板状である。第１連結部３１の板厚は、約２ｍｍである。第１連結部３１の各辺の長さは、建材パネル２の各辺の長さよりも短い。第１連結部３１は、建材パネル２と平行に延びる。第１連結部３１の下側の面のうち、後述する突出部３４を除く部分は、建材パネル２の上側の面に接触する。第１連結部３１の周端部は、建材パネル２の周端部よりも、内側に配置される。
【００１６】
第１連結部３１の中心に、正方形の孔３０が形成される。孔３０の周縁部から上側に向けて、延伸部３５Ａ〜３５Ｄ（「延伸部３５」という）が上側に延びる。延伸部３５の高さは、約１０ｍｍである。
【００１７】
第１連結部３１に、突出部３４１Ａ、３４２Ａ、３４１Ｂ、３４２Ｂ、３４１Ｃ、３４２Ｃ、３４１Ｄ、３４２Ｄ（「突出部３４」という。）が設けられる。図３に示すように、突出部３４１Ａ、３４２Ａは、孔３０の前側の縁部から延びる延伸部３５Ａの左端部及び右端部の前側に設けられる。突出部３４１Ｂ、３４２Ｂは、孔３０の右側の縁部から延びる延伸部３５Ｂの前端部及び後端部の右側に設けられる。突出部３４１Ｃ、３４２Ｃは、孔３０の後側の縁部から延びる延伸部３５Ｃの右端部及び左端部の後側に設けられる。突出部３４１Ｄ、３４２Ｄは、孔３０の左側の縁部から延びる延伸部３５Ｄの後端部及び前端部の左側に設けられる。突出部３４は、第１連結部３１にエンボス状に形成される。
【００１８】
図１に示すように、突出部３４は半球体状を有する。突出部３４は、建材パネル２から離隔する向き（上向き）に突出する。突出部３４の内部は空洞である（図５参照）。突出部３４の高さは略７．５ｍｍであり、延伸部３５の高さ（約１０ｍｍ）よりも僅かに小さい。突出部３４の直径は、略１８ｍｍである。
【００１９】
図５に示すように、突出部３４の上端部に孔３４０が設けられる。孔３４０にリベット３６が挿通する。リベット３６の下側のフランジは、建材パネル２の面材２Ａ、２Ｂ（図２参照）間に配置される。リベット３６の上側のフランジは、突出部３４の孔３４０の上側に配置される。リベット３６は、建材パネル２に第１連結部３１を連結させる。
【００２０】
図１、図２に示すように、延伸部３２は、第１連結部３１の周端部から、建材パネル２側と反対側（上側）に向けて延びる。より詳細には次の通りである。延伸部３２Ａは、第１連結部３１の前端部に対応する辺（「第１辺」という。）から、上側に向けて延びる。延伸部３２Ｂは、第１連結部３１の右端部に対応する辺（「第２辺」という。）から、上側に向けて延びる。延伸部３２Ｃは、第１連結部３１の後端部に対応する辺（「第３辺」という。）から、上側に向けて延びる。延伸部３２Ｄは、第１連結部３１の左端部に対応する辺（「第４辺」という。）から、上側に向けて延びる。建材パネル２の周端部は、延伸部３２に対して外側に突出する。
【００２１】
第１辺の右端部と第２辺の前端部は連結し、第１辺及び第２辺は隣接する。第２辺の後端部と第３辺の右端部は連結し、第２辺及び第３辺は隣接する。第３辺の左端部と第４辺の後端部は連結し、第３辺及び第４辺は隣接する。第４辺の前端部と第１辺の左端部は連結し、第４辺及び第１辺は隣接する。
【００２２】
図４に示すように、延伸部３２Ａ、３２Ｂの上下方向の長さは同一であり、延伸部３２Ｃ（図１参照）、３２Ｄの上下方向の長さは同一である。延伸部３２Ｃ、３２Ｄの上下方向の長さは、延伸部３２Ａ、３２Ｂの上下方向の長さよりも、後述する第２連結部３３の板厚分長い。以下、図５に示すように、延伸部３２Ａ（図１参照）、３２Ｂの上下方向の長さを、第１長さＬ１といい、延伸部３２Ｃ（図１参照）、３２Ｄの上下方向の長さを、第２長さＬ２という。
【００２３】
図１に示すように、第２連結部３３は略板状である。第２連結部３３の板厚は、約２ｍｍである。第２連結部３３は、延伸部３２のうち第１連結部３１側と反対側（上側）の端部から外側に向けて、建材パネル２と平行に延びる。より詳細には次の通りである。第２連結部３３Ａは、延伸部３２Ａの上端部から前側に向けて延びる。第２連結部３３Ｂは、延伸部３２Ｂの上端部から右側に向けて延びる。第２連結部３３Ｃは、延伸部３２Ｃの上端部から後側に向けて延びる。第２連結部３３Ｄは、延伸部３２Ｄの上端部から左側に向けて延びる。第２連結部３３Ａの右端部は、左右方向において、第２連結部３３Ｂの右端部の位置まで右側に延びる。第２連結部３３Ｃの左端部は、左右方向において、第２連結部３３Ｄの左端部の位置まで左側に延びる。図４に示すように、第２連結部３３の周端部は、建材パネル２の周端部よりも外側に突出する。
【００２４】
図５に示すように、建材パネル２と平行な仮想平面であって、建材パネル２との間の間隔が、延伸部３２Ａ、３２Ｂの上下方向の長さと同じ第１長さＬ１である第１仮想平面Ｐ１を定義する。この場合、第２連結部３３Ａ（図１参照）、３３Ｂは、第１仮想平面Ｐ１に沿って延びる。又、建材パネル２と平行な仮想平面であって、建材パネル２との間の間隔が、延伸部３２Ｃ、３２Ｄの上下方向の長さと同じ第２長さＬ２である第２仮想平面Ｐ２を定義する。この場合、第２連結部３３Ｃ（図１参照）、３３Ｄは、第２仮想平面Ｐ２に沿って延びる。ここで上述のように、第２長さＬ２は第１長さＬ１よりも、第２連結部３３の板厚（約２ｍｍ）分長い。このため、第２連結部３３Ｃ、３３Ｄは、第２連結部３３Ａ、３３Ｂよりも、第２連結部３３の板厚分上側に配置される（図４参照）。
【００２５】
＜壁面パネル１の取り付け方法＞
はじめに施工者は、建物の軒天の下側に壁面パネル１Ａを配置させる。このとき、図６に示すように、下地材Ｂの下側に第２連結部３３Ｄが配置されるように、壁面パネル１Ａの位置が調整される。次に施工者は、壁面パネル１Ａの左側に壁面パネル１Ｂを並べて配置させる。このとき、壁面パネル１Ａの第２連結部３３Ｄの下側に第２連結部３３Ｂが配置されるように、壁面パネル１Ｂの位置が調整される。壁面パネル１Ａの第２連結部３３Ｂは、下地材Ｂと、壁面パネル１Ｂの第２連結部３３Ｄとの間に挟まれる。
【００２６】
次に施工者は、壁面パネル１Ｂの第２連結部３３Ｂの下側から、螺子５を螺入する。螺子５の頭の直径は略６ｍｍであり、螺子５の軸の直径は略４ｍｍである。螺子５は、壁面パネル１Ａの第２連結部３３Ｂ、及び、壁面パネル１Ｂの第２連結部３３Ｄを貫通し、下地材Ｂに螺合される。これによって、壁面パネル１Ａ、１Ｂのそれぞれは、それぞれの固定部材３を介して下地材Ｂに固定される。以上の工程が、左右方向及び前後方向に繰り返されることによって、複数の壁面パネル１は、軒天に格子状に並べて配置され、固定される。
【００２７】
ここで、図５に示すように、壁面パネル１Ａの建材パネル２と第２連結部３３Ｄとの間の間隔である第２長さＬ２は、壁面パネル１Ｂの建材パネル２と第２連結部３３Ｂとの間の間隔である第１長さＬ１よりも、第２連結部３３の板厚分大きい。このため、図６に示すように、壁面パネル１Ａ、１Ｂがそれぞれ上記のように軒天に取り付けられた状態で、それぞれの建材パネル２の高さ方向の位置は一致する。つまり、取り付けられた複数の壁面パネル１のそれぞれの建材パネル２は、同一平面Ｐ上に沿って配置される。又、隣接する２つの壁面パネル１のそれぞれの建材パネル２の間の間隔は、第３長さＬ３となる。第３長さＬ３は、具体的には約７ｍｍとなる。第３長さＬ３は、螺子５によって螺合可能なように、螺子５の頭の直径（約６ｍｍ）よりも僅かに大きく設定される。
【００２８】
＜本実施形態の主たる作用、効果＞
以上のように、壁面パネル１は、固定部材３を介して、建物の下地材に建材パネル２を並べて固定する。固定部材３は第２連結部３３を有する。第２連結部３３Ａ、３３Ｂと、第２連結部３３Ｃ、３３Ｄとでは、建材パネル２との間の間隔がそれぞれ異なる。第２連結部３３Ｃ、３３Ｄが配置される第２仮想平面Ｐ２は、第２連結部３３Ａ、３３Ｂが配置される第１仮想平面Ｐ１よりも、建材パネル２との間の間隔が大きい（第２長さＬ２＞第１長さＬ１）。このため、壁面パネル１Ａの第２連結部３３Ｄと、壁面パネル１Ｂの第２連結部３３Ｂとを重ねた状態で下地材Ｂに固定できる。なお、図示されていないが、隣接する２つの壁面パネル１のうち一方側の第２連結部３３Ａと、他方側の第２連結部３３Ｃとを重ねた状態で下地材Ｂに固定することもできる。更に、建材パネル２の周端部は、固定部材３の延伸部３２に対して外側に突出する。このため、壁面パネル１は、それぞれの建材パネル２の間の隙間を極力小さくできる。従って、壁面パネル１は、隣接する他の壁面パネル１との間で、それぞれの建材パネル２の間の隙間を極力小さくできる。
【００２９】
壁面パネル１の第２連結部３３Ａ、３３Ｂは、それぞれ、第１連結部３１の４辺のうち互いに隣接する第１辺及び第２辺のそれぞれに接続する延伸部３２Ａ、３２Ｂから延びる。壁面パネル１の第２連結部３３Ｃ、３３Ｄは、それぞれ、第１連結部３１の４辺のうち互いに隣接する第３辺及び第４辺のそれぞれに接続する延伸部３２Ｃ、３２Ｄから延びる。この場合、施工者は、壁面パネル１を左右方向及び前後方向（即ち、格子状）に並べて配置させて軒天に固定させた場合に、それぞれの建材パネル２の高さを一致させることができる。
【００３０】
壁面パネル１Ａの建材パネル２と第２連結部３３Ｄとの間の間隔である第２長さＬ２は、壁面パネル１Ｂの建材パネル２と第２連結部３３Ｂとの間の間隔である第１長さＬ１よりも、第２連結部３３の板厚分大きい。このため、壁面パネル１Ａ、１Ｂがそれぞれ軒天に取り付けられた状態で、それぞれの建材パネル２の高さ方向の位置は一致する。このように、複数の壁面パネル１がそれぞれ軒天に取り付けられた状態で、建材パネル２の高さを共通化できるので、高い意匠性を実現できる。
【００３１】
壁面パネル１の第１連結部３１は、建材パネル２から離隔する向きに凸状に突出する突出部３４を複数有する。各突出部３４は、リベット３６が連通する孔３４０を有する。第１連結部３１と建材パネル２とは、リベット３６によって連結される。この場合、離隔する２つの部材（建材パネル２と、第１連結部３１の突出部３４）を連結するためのリベット３６を用いて、第１連結部３１と建材パネル２とを連結できる。
【００３２】
＜変形例＞
本発明は上記実施形態に限定されず、種々の変更が可能である。本発明は、上記実施形態において例示した各寸法、及び、数量の具体例に限定されないことは言うまでもない。例えば、第３長さＬ３は、螺子５の頭の直径（６ｍｍ）より小さく設定されてもよい。突出部３４の数は、上記実施形態より大きくてもよいし、小さくてもよい。壁面パネル１が取り付けられる対象は、軒天に限定されず、建築物や各種構造物の各種壁面であってもよい。例えば、壁面パネル１は、建築物や構造物の外装、内装、天井等に取り付けられてもよい。壁面パネル１は、建物の躯体、躯体に吊り下げられた吊り天井構造等に取り付けられてもよい。
【００３３】
固定部材３の第１連結部３１は、建材パネル２の上側の面全体を覆っていてもよい。この場合、第１連結部３１に孔３０は設けられていなくてもよい。延伸部３２は、第１連結部３１の周端部よりも内側の部分から、上側に向けて延びていてもよい。延伸部３２Ａ、３２Ｃの上下方向の長さを第１長さＬ１とし、延伸部３２Ｂ、３２Ｄの上下方向の長さを第２長さＬ２としてもよい。つまり、建材パネル２と第２連結部３３Ａ、３３Ｃとの間の間隔を第１長さＬ１とし、建材パネル２と第２連結部３３Ｂ、３３Ｄとの間の間隔を第２長さＬ２としてもよい。第１長さＬ１と第２長さＬ２との間の差は、第２連結部３３の板厚よりも大きくてもよいし、小さくてもよい。第１連結部３１に突出部３４は設けられていなくてもよい。この場合、第１連結部３１の平面状の部分に形成された孔３４０にリベット３６が挿通され、このリベット３６によって建材パネル２と第１連結部３１とが連結されてもよい。
【００３４】
＜その他＞
第２連結部３３Ａ、３３Ｂは、本発明の「第１部分」に対応し、第２連結部３３Ｃ、３３Ｄは、本発明の「第２部分」に対応する。
【符号の説明】
【００３５】
１、１Ａ、１Ｂ      ：壁面パネル
２        ：建材パネル
３        ：固定部材
５        ：螺子
３１      ：第１連結部
３２      ：延伸部
３３      ：第２連結部
３４      ：突出部
３６      ：リベット
３４０    ：孔
Ｐ１      ：第１仮想平面
Ｐ２      ：第２仮想平面
【図１】
2018178553.tif 000003
【図２】
2018178553.tif 000004
【図３】
2018178553.tif 000005
【図４】
2018178553.tif 000006
【図５】
2018178553.tif 000007
【図６】
2018178553.tif 000008